(57)【要約】【課題】  断面形状の異なる下レールに取付けできる下部下地材を介して新設下枠を既設下枠に取付けできる改装サッシとする。【解決手段】  既設下枠１２の下レール１４に下部下地材４０を、その下レール１４の上端面に載置すると共に、固着用ビス１５の締付力を利用して下レール１４を挟持するように取付け、この下部下地材４０に新設下枠２２を取付けた改装サッシで、下レール１４の断面形状が異なっても同一の下部下地材４０を同様に取付けできる。【選択図】  図１
2005226375.tif 000002
【特許請求の範囲】
【請求項１】
建物躯体に残存した既設サッシ枠の既設下枠に下部下地材を取付け、この下部下地材に新設サッシ枠の新設下枠を取付けた改装サッシにおいて、
前記下部下地材は、既設下枠の下レールの上端面に載置し、かつ固着用ビスの締付け力を利用して下レールを挟持して取付けたことを特徴とする改装サッシ。
【請求項２】
既設下枠の下レールは立上り片の上部に障子ガイド部を有し、
下部下地材は取付部を備え、この取付部は障子ガイド部に載置する横向片と、立上り片の室内側面に接する下向片と、立上り片の室外側面に対向するビス螺合片を有し、
このビス螺合片に螺合した固着用ビスの締付力を利用して下向片を立上り片の室内側面に押しつけることで立上り片を挟持するようにした請求項１記載の改装サッシ。
【請求項３】
下部下地材は、新設下枠を取付ける取付枠下枠を備え、取付部に対して取付枠下枠が上下方向及び室内外側方向に位置調整できる請求項２記載の改装サッシ。
【請求項４】
下部下地材は、取付部と、この取付部に上下方向に位置調整自在に取付けた下枠ベースと、この下枠ベースに室内外側方向に位置調整自在に取付けた取付枠下枠を備え、
前記下枠ベースを既設下枠に固着すると共に、前記取付枠下枠に新設下枠を取付けるようにした請求項３記載の改装サッシ。
【発明の詳細な説明】
【技術分野】
【０００１】
本発明は、建物躯体に取付けられた既設サッシの既設サッシ枠を残存し、この既設サッシ枠に新設サッシの新設サッシ枠を取付けるようにした改装サッシに関する。
【背景技術】
【０００２】
特許文献１に開示されたように、既設サッシの既設サッシ枠を建物躯体に残存し、この既設サッシ枠の既設上枠、下枠、縦枠に上部、下部、縦部下地材をそれぞれ固着具によって固着し、新設サッシの新設サッシ枠を構成する新設上枠、下枠、縦枠を前記各下地材にそれぞれ固着具で固着することで新設サッシ枠を既設サッシ枠に取付ける改装サッシが知られている。
【０００３】
【特許文献１】実公昭６３−４６６０８号公報
【発明の開示】
【発明が解決しようとする課題】
【０００４】
前述の改装サッシにおける下部下地材は、既設下枠における下レールにビスで固着され、その下レールは建物躯体に固着される本体部から立上っているので、その下部下地材を既設下枠に固着する部分から建物躯体に雨水等が浸入することがない。つまり、既設下枠の本体部に下部下地材をビスで固着すると、その本体部のビス挿通孔から雨水等が建物躯体に浸入する。
しかし、既設下枠における下レールの断面形状は種々異なる。例えば立上り片の上端部に、その立上り片の室内外側面よりも突出した障子ガイド部、立上り片の室内側面よりも突出した障子ガイド部、立上り片の室外側面よりも突出した障子ガイド部を一体的に設けた断面形状の下レールが知られている。
【０００５】
このために、下部下地材を断面形状の異なる下レールに取付けできないことがあり、下レールの断面形状に応じた下部下地材を製作・準備することになるので、下部下地材の種類が多くなってコスト高となる。
例えば、下部下地材の取付部を垂下片とし、その垂下片を下レールの立上り片に接してビスで固着するようにした場合に、その立上り片の上端部の障子ガイド部が室外側に突出していると、その障子ガイド部に垂下片が干渉し、下部下地材を正しい姿勢で強固に固着できないので、その垂下片を折曲した形状として障子ガイド部と干渉しないようにする必要がある。
【０００６】
本発明の目的は、断面形状の異なる下レールに取付けできる下部下地材を介して新設下枠を既設下枠に取付けでき、下部下地材の種類が少なく、コストが安い改装サッシとすることである。
【課題を解決するための手段】
【０００７】
第１の発明は、建物躯体に残存した既設サッシ枠の既設下枠に下部下地材を取付け、この下部下地材に新設サッシ枠の新設下枠を取付けた改装サッシにおいて、
前記下部下地材は、既設下枠の下レールの上端面に載置し、かつ固着用ビスの締付け力を利用して下レールを挟持して取付けたことを特徴とする改装サッシである。
【０００８】
第２の発明は、第１の発明において、既設下枠の下レールは立上り片の上部に障子ガイド部を有し、
下部下地材は取付部を備え、この取付部は障子ガイド部に載置する横向片と、立上り片の室内側面に接する下向片と、立上り片の室外側面に対向するビス螺合片を有し、
このビス螺合片に螺合した固着用ビスの締付力を利用して下向片を立上り片の室内側面に押しつけることで立上り片を挟持するようにした改装サッシである。
【０００９】
第３の発明は、第２の発明において、下部下地材は、新設下枠を取付ける取付枠下枠を備え、取付部に対して取付枠下枠が上下方向及び室内外側方向に位置調整できる改装サッシである。
【００１０】
第４の発明は、第３の発明において、下部下地材は、取付部と、この取付部に上下方向に位置調整自在に取付けた下枠ベースと、この下枠ベースに室内外側方向に位置調整自在に取付けた取付枠下枠を備え、
前記下枠ベースを既設下枠に固着すると共に、前記取付枠下枠に新設下枠を取付けるようにした改装サッシである。
【発明の効果】
【００１１】
本発明によれば、断面形状の異なる下レールに取付けできる下部下地材を介して新設下枠を既設下枠に取付けできる。したがって、下部下地材の種類が少なくコスト安である。
【発明を実施するための最良の形態】
【００１２】
図１と図２に示すように、建物躯体１のサッシ取付開口部２に既設サッシの既設サッシ枠１０が取付けてある。この既設サッシ枠１０は既設上枠１１と既設下枠１２と左右の既設縦枠１３を方形状に枠組みしてある。
この実施の形態では、前記建物躯体１のサッシ取付開口部２は、まぐさ３、窓台４、柱５を備え、まぐさ３に既設上枠１１が取付けられ、窓台４に既設下枠１２が取付けられ、柱５に既設縦枠１３が取付けられる。なお、建物躯体１のサッシ取付開口部はコンクリート、ＰＣ板などで形成されていても良い。
新設サッシの新設サッシ枠２０は新設上枠２１と新設下枠２２と左右の新設縦枠２３を方形状に枠組みしてある。
【００１３】
この新設サッシ枠２０は既設サッシ枠１０に下地材を介して取付けられる。
例えば、前記既設上枠１１に上部下地材３０を取付け、この上部下地材３０に新設上枠２１を取付ける。
前記既設下枠１２に下部下地材４０を取付け、この下部下地材４０に新設下枠２２を取付ける。
前記既設縦枠１３に縦部下地材５０を取付け、この縦部下地材５０に新設縦枠２３を取付ける。
【００１４】
前記下部下地材４０は既設下枠１２の下レール１４の上端面に載置し、かつ固着用ビス１５の締付け力を利用して下レール１４の室内側面と室外側面を挟持し、室内外側方向に動かないように支持して取付けられる。
このようであるから、断面形状の異なる下レール１４に同一の下部下地材４０を取付けできる。
【００１５】
前記下部下地材４０の好ましい取付け形態を説明する。
既設下枠１２の下レール１４は、下枠本体１２ａに一体的に設けた立上り片１４ａと、この立上り片１４ａの上端部に一体的に設けてある障子ガイド部１４ｂを備えている。
前記下部下地材４０の取付部４１は、前記障子ガイド部１４ｂ（下レール１４の上端面）に載置する横向片４１ａと、この横向片４１ａと連続し立上り片１４ａの室内側面（下レール１４の室内側面）に接する下向片４１ｂ（好ましくは鉤形の下向片４１ｂ）と、ビス螺合片４１ｃを備え、このビス螺合片４１ｃは立上り片１４ａの室外側面（下レール１４の室外側面）と見込み方向の隙間を置いて対向している。
このビス螺合片４１ｃに前記固着用ビス１５を室内外側方向に向けて螺合し、この固着用ビス１５の締付力を利用して立上り片１４ａの室内外側面を挟持して室内外側方向に動かないように固定して取付ける。
例えば、固着用ビス１５を立上り片１４ａの室外側面に押しつけ、その固着用ビス１５を更に締付けることで取付部４１を室外側に向けて移動させて下向片４１ｂを立上り片１４ａの室内側面に押しつけて固着用ビス１５と下向片４１ｂで立上り片１４ａを挟持する。
【００１６】
このようにすれば、下レール１４の障子ガイド部１４ｂが立上り片１４ａの室外側に突出した断面形状、室内側と室外側の両方に突出した断面形状、室内側に突出した断面形状であっても取付部４１を下レール１４に強固に取付けできる。
【００１７】
前記下部下地材４０は新設下枠２２を取付ける取付枠下枠４３を備え、取付部４１に対して取付枠下枠４３が上下方向（高さ方向）及び室内外側方向に位置調整できることが好ましい。
例えば、下部下地材４０を、前述の取付部４１と、この取付部４１に上下方向に位置調整自在に取付けた下枠ベース４２と、この下枠ベース４２に室内外側方向に位置調整自在に取付けた取付枠下枠４３で構成し、その取付枠下枠４３に新設下枠２２を取付ける。
【００１８】
このようにすれば、既設下枠１２に新設下枠２２を上下方向及び室内外側方向に位置調整して取付けできるので、既設サッシ枠１０の形状に影響されずに新設サッシ枠２０を取付けできる。
例えば、既設下枠１２の下レール１４の高さ（上下方向寸法）に応じて下枠ベース４２を上下に位置調整する。既設サッシ枠１０の室内外側方向の寸法に応じて取付枠下枠４３を室内外側方向に位置調整する。
【００１９】
次に、下部下地材４０の各部材の具体形状を説明する。
前記取付部４１は、図１と図３に示すように横向片４１ａと下向片４１ｂとビス螺合片４１ｃを有すると共に、前記横向片４１ａの室内外側方向中間部の上面に鉤片４１ｄを室外側に向けて設け、この鉤片４１ｄの室外側端部に上向片４１ｅを設け、その鉤片４１ｄと横向片４１ａの上面で室外側に開口した溝部４４を形成する。
前記下枠ベース４２は横板４２ａと縦板４２ｂでほぼＬ字形状で、その横板４２ａの室内側部を既設下枠１２の室内側部１２ｂに重ね合せ、取付具、例えば取付ねじ４５で建物躯体１（窓台４）に固着して取付ける。この取付ねじ４５はテクスねじで既設下枠１２の室内側部１２ｂに穴を穿けながら窓台４に螺合する。
前記縦板４２ｂには上下方向の長孔４６が形成され、この長孔４６から調整ねじ４７を取付部４１の溝部４４に螺合して連結し、下枠ベース４２の室外側部を取付部４１に固着する。
【００２０】
これによって、上下方向の長孔４６に沿って調整ねじ４７を上下方向（高さ方向）に移動することで取付部４１に対する下枠ベース４２の取付位置を上下方向に調整でき、既設下枠１２の下レール１４の高さの影響を受けずに新設下枠２２を所定の高さに取付けできる。
なお、取付部４１の上向片４１ｅと下枠ベース４２の縦板４２ｂの相互に接触する面には複数の溝が上下方向に間隔を置いて形成してあり、前述のように調整ねじ４７を溝部４４に螺合することで溝相互が噛み合い、新設サッシの重量や人間の重さが掛かっても上下方向に動くことなくしっかりと連結できる。
【００２１】
前記取付枠下枠４３は図１に示すように、横板４３ａと縦板４３ｂでほぼＬ字形状で、その横板４３ａを下枠ベース４２の横板４２ａの上面に重ね合せ、ビス４８で固着される。
そして、縦板４３ｂが既設下枠１２よりも室外側に突出する。
前記ビス４８はテクスビスで、下枠ベース４２の横板４２ａにおける任意の位置に螺合できるから、取付枠下枠４３を下枠ベース４２に室内外側方向に位置調整して取付けできる。これに限ることはなく横板４３ａに長孔を形成すると共に、横板４２ａにビス孔を形成して室内外側方向に位置調整できるようにしても良い。
前記取付枠下枠４３の横片４３ａに新設下枠２２の室内側部２２ａが載置し、室外側の取付縦片２２ｂが縦片４３ｂに接し、その室内側部２２ａ、取付縦片２２ｂからビス４９をそれぞれ螺合して新設下枠２２を取付枠下枠４３に取付ける。
【００２２】
前記取付部４１と下枠ベース４２は短尺で、既設下枠１２の長手方向に間隔を置いて複数取付けてある。
このようにすることで、既設下枠１２が経年変化等で長手方向に向けて上下方向に湾曲している場合に、複数の取付部４１の上下方向位置が不揃いとなるが、各取付部４１に対して下枠ベース４２をそれぞれ上下方向に位置調整して横板４２ａを同一高さとすることができるから、取付枠下枠４３を長手方向に対して水平に取付けできる。
なお、取付部４１、下枠ベース４２は長尺な１つのものとしても良い。
したがって、取付枠下枠４３に対する新設下枠２２の取付部分（室内側部２２ａ、室外側の取付縦片２２ｂ）の形状を、取付枠下枠４３の横片４３ａ及び縦片４３ｂに対応する形状に統一することによって、この下部下地材４０（取付部４１、下枠ベース４２、取付枠下枠４３）を１種類だけ用意するだけで、断面形状の異なる既設下枠に対して、その取付部分を有する全ての新設下枠を取付けることが可能となる。
よって、下部下地材を１種類だけ用意すれば良いので、下部下地材の種類が最小で済みコスト安となる。
【００２３】
また、取付部４１に左右方向に向う溝部４４を形成し、この溝部４４に長孔４６から調整ねじ４７を螺合したので、その調整ねじ４７を取付部４１に対して左右方向に位置決めする必要がなく、その調整ねじ４７を容易に溝部４４に螺合できる。
なお、溝部４４の代りにねじ孔を形成しても良い。
【００２４】
次に、新設上枠２１、新設縦枠２３の取付けについて説明する。
前記上部下地材３０、縦部下地材５０は前記下部下地材４０の取付枠下枠４３とあらかじめ方形状に枠組みされて取付枠を形成する。つまり、上部下地材３０が取付枠上枠、縦部下地材５０が取付枠縦枠である。
前記上部下地材３０は室内外側方向に向う板状で、その室外側立上り部３１が既設上枠１１の室外側面１１ａ（網戸レール）に接し、室内外側方向に位置決めしてビス３２で固着する。なお、室外側立上り部３１を室外側面１１ａに直接接しても良いが、止水用のスポンジを介して接触することが好ましい。
上部下地材３０の室内側部３３を既設上枠１１の室内側部１１ｂに重ね合せ（この実施の形態ではスペーサを介して重ね合せている）、取付具、例えば取付ねじ３４を建物躯体１（まぐさ３）に螺合して固着する。
前記新設上枠２１の立上り部２１ａが上部下地材３０の室外側面３５に接し、ビス３６を螺合して固着する。新設上枠２１と上部下地材３０が取付具、例えば取付ねじ３７で連結される。
【００２５】
このように、上部下地材３０は既設上枠１１の室外側面１１ａを基準として室内外側方向に位置して取付けられ、その上部下地材３０と下部下地材４０の取付枠下枠４３があらかじめ枠組みされているので、既設上枠１１の室内外側方向寸法（見込み寸法）が異なる場合には、取付枠下枠４３が下枠ベース４２に対する室内外側方向位置がずれる。
このことを吸収するために、取付枠下枠４３が下枠ベース４２に対して室内外側方向にスライドして位置調整できるようにしてある。
【００２６】
前記縦部下地材５０は室内外側方向に向う板状で、その室外側部に矩形中空部５１を備え、その矩形中空部５１によって室内側に向う第１シール部５２と側方に向う第２シール部５３を形成している。この第１シール部５２と第２シール部５３はほぼ直角となっている。
前記縦部下地材５０の室内側部５４が既設縦枠１３の室内側部１３ａに重なり合い（この実施の形態ではスペーサを介して重ね合せている）、取付具、例えば取付ねじ５５を建物躯体１（柱５）に螺合して取付ける。
前記縦部下地材５０の室外側中空部５１は既設縦枠１３の室外側部１３ｂ（網戸当り片）よりも室外側に突出している。
前記新設縦枠２３の室内側部は縦部下地材５０の室外側寄りと重なり合って取付具、例えば取付ねじ５６で固着され、その新設縦枠２３の室外側部は縦部下地材５０よりも室外側に突出する。
【００２７】
次に、前記既設サッシ枠１０と新設サッシ枠２０との室外側部間のシールについて説明する。
図１に示すように、既設上枠１１の室外側面１１ａと上部下地材３０の室外側立上り部３１との間を上横シール材６０でシールする。この上横シール材６０は湿式シール材が好ましい。
図１に示すように、取付枠下枠４３の縦板４３ｂの室内側面に下横シール材６１を室内側に向けて装着し、この下横シール材６１を既設下枠１２の室外側部１２ｃに圧接する。
この下横シール材６１は室内外側方向の寸法が十分に長く、前述のように取付枠下枠４３が室内外側方向にスライドした場合でも既設下枠１２の室外側部１２ｃに圧接するようにする。
【００２８】
図２に示すように、縦部下地材５０の第１・第２シール部５２，５３に亘って縦水密材６２を装着する。この縦水密材６２は室内外側方向の寸法と左右方向の寸法が大きく、第１・第２シール部５２，５３が既設縦枠１３の室外側部１３ｂに対して室内外側方向、左右方向に位置ずれしても、その縦水密材６２が既設縦枠１３の室外側部１３ｂに圧接するようにしてある。
前述の縦水密材６２はスポンジが好ましいが、前述の条件を満足するものであれば良い。
このようであるから、前述のように既設縦枠１３の室内外側方向の寸法が異なる場合や、既設縦枠１３の室外側部１３ｂが鉤形（面落ち）で縦水密材６２が接する部分が室内外側方向と左右方向にずれて２個所有する場合でも、その既設縦枠１３の室外側部１３ｂと縦部下地材３０の室外側部との間を確実にシール（水密）できる。
なお、新設縦枠２３は縦部下地材５０の室外側部に固着されて室外側に突出しているので、前述のように既設縦枠１３と縦部下地材５０との間をシールすれば良い。
【００２９】
図１に示すように、既設上枠１１と上部下地材３０の室外側部分が室外に露出しているので、上横化粧モール６３を取付けて被覆している。
また、図２に示すように、既設縦枠１３と縦部下地材５０の室外側部分が室外に露出しているので、縦化粧モール６４と縦枠アタッチメント６５を取付けて被覆している。
前記縦枠アタッチメント６５の室外側部は新設縦枠２３の室外側部に係止して連結されると共に、その室内側部が縦部下地材５０の室外側面にビス６６で固着して取付けてある。
この縦枠アタッチメント６５の室内側部には係止凹部６５ａが形成され、縦化粧モール６４の係止片６４ａがスナップ式に係止して取付けてある。
【００３０】
前記上部下地材３０、下部下地材４０の取付枠下枠４３が左右の縦部下地材５０の相対向した内面に突き合せてビス６７で連結してある。
前記下部下地材４０の下枠ベース４２の縦板４２ｂと取付枠下枠４３の縦板４３ｂは室内外方向に離隔しているので、この各縦板４２ｂ，４３ｂと既設下枠１２の室外側部１２ｃにおける長手方向端部とに亘って止水材、例えばスポンジ６８を設けて雨水等が浸入しないようにしてある。
また、縦部下地材５０の室外側中空部５１の開口端部は止水材、例えばスポンジ６９で止水してある。
【００３１】
次に、改装方法の一例を説明する。
まず、既設サッシ枠１０から障子を取り外し、既設サッシ枠１０を建物躯体１に残存させる。
そして、既設下枠１２の下レール１４に取付部４１を取付け、この取付部４１に下枠ベース４２を上下方向位置を調整して取付け、その下枠ベース４２を所定の上下方向位置（所定の高さ）とする。
この後に、枠組みした取付枠（上部下地材３０、下部下地材４０の取付枠下枠４３、縦部下地材５０）を枠組みした新設サッシ枠２０に取付け、この状態で下枠ベース４２の上に載せながら既設サッシ枠１０内に嵌め込み、上部下地材３０の室外側立上り部３１を既設上枠１１の室外側面１１ａに接して室内外側方向の位置決めをする。
さらに、上部下地材３０、縦部下地材５０を建物躯体１に前述したように固着し、下部下地材４０の取付枠下枠４３を下枠ベース４２に前述したように固着する。
最後に、上横化粧モール６３、縦化粧モール６４、縦枠アタッチメント６５を取付ける。
【００３２】
次に、下部下地材４０を下レール１４に取付ける他の実施の形態を説明する。
図４（ａ）（ｂ）（ｃ）に示すように、固着用ビス１５を当て板（裏板）１６を介して下レール１４（立上り片１４ａ）の室外側面に押しつける。
このようにすれば、固着用ビス１５の締付力で当て板１６が下レール１４の室外側面に押しつけられ、その接触面積が、固着用ビス１５を直接押しつける場合よりも広くなるので、下向き片４１ｂとでしっかり下レール１４を挟持できる。
つまり、この当て板１６は取付部４１の下向き片４１ｂとほぼ同一長さであることが好ましい。
前記当て板１６に固着用ビス１５の先端部を押しつけるだけでも良いが、固着用ビス１５の先端部に小径部を形成し、当て板１６に凹部を形成し、その凹部に固着用ビス１５の小径部を嵌合するようにしても良い。
また、固着用ビス１５をビス螺合片４１ｃに螺合した状態で、その固着用ビス１５の先端部を当て板１６に回転自在に連結しても良い。
このようにすれば、当て板１６が脱落しないので、取付け作業がやり易い。
【００３３】
図５に示すように、取付部４１を、横向片４１ａと下向片４１ｂとビス螺合片４１ｃと上向片４１ｆを有する形状とし、下枠ベース４２の縦板４２ｂからテクスねじ１７を上向片４１ｆに螺合して固着する。
このようにすれば、取付部４１に溝部やビス孔を形成しなくとも良いし、縦板４２ｂの長孔を不要とすることも可能で、形状を簡略化できる。
【００３４】
前述した縦部下地材５０に設ける縦水密材６２は図６に示すように、取付基部７０と、この取付基部７０の前面７０ａにおける幅方向一側に一体的に設けた第１シール片７１と、取付基部７０の前面７０ａにおける幅方向他側に一体的に設けた第２シール片７２を備え、第１シール片７１、第２シール片７２は取付基部７０の幅方向他側に向けて円孤形状に湾曲している。
前記第１シール片７１よりも第２シール片７２が長く、第１シール片７１の先端部７１ａは取付基部７０の前面７０ａよりも前方に突出し、かつ幅方向他側とほぼ同一位置で、第２シール片７２の先端部７２ａは取付基部７０の幅方向他側よりも側方に突出し、かつ取付基部７０の前面７０ａと略同一位置であることが好ましい。
前記縦水密材６２は樹脂材により押出し成形されるものが好ましい。
【００３５】
前述の縦水密材６２を用いる場合には、図７（ａ），（ｂ）に示すように、縦部下地材５０の第１シール部５２に室内側に向うあり溝５２ａを形成し、そのあり溝５２ａに取付基部７０を嵌着して取付け、第１・第２シール片７１，７２が室内側に向うと共に、第１シール片７１が内側で、第２シール片７２が外側で既設縦枠１３の室外側部１３ｂに接するようにする。
【００３６】
このようにすれば、前述のスポンジと同様であるが、特に既設縦枠１３の室外側部１３ｂの面落ちに対して有効である。
つまり、図７（ａ）に示す既設縦枠１３は面落ちがなく、その室外側部１３ｂに第２ヒレ片７２が確実に接してシールする。図７（ｂ）に示す既設縦枠１３のように室外側部１３ｂが面落ちして室外側面１３ｃと室外寄り内向片１３ｄを有する形状の場合には第１ヒレ片７１が室外寄り内向片１３ｄに接し、第２ヒレ片７２が室外側面１３ｃに接してシールする。
なお、この縦水密材６２は他のサッシ部分にも使用できるし、横向きとしても使用できる。
【図面の簡単な説明】
【００３７】
【図１】改装サッシの縦断面図である。
【図２】改装サッシの横断面図である。
【図３】既設下枠と取付部と下枠ベースの分解斜視図である。
【図４】取付部の他の実施の形態を示す説明図である。
【図５】取付部の他の実施の形態を示す説明図である。
【図６】縦枠水密材の他の実施の形態を示す断面図である。
【図７】縦枠水密材を取付けた状態の縦枠部分の断面図である。
【符号の説明】
【００３８】
１…建物躯体、２…サッシ取付開口部、１０…既設サッシ枠、１１…既設上枠、１２…既設下枠、１３…既設縦枠、１４…下レール、１４ａ…立上り片、１４ｂ…障子ガイド部、１５…固着用ビス、２０…新設サッシ枠、２１…新設上枠、２２…新設下枠、２３…新設縦枠、４０…下部下地材、４１…取付部、４１ａ…横向片、４１ｂ…下向片、４１ｃ…ビス螺合片、４２…下枠ベース、４３…取付枠下枠。
【図１】
2005226375.tif 000003
【図２】
2005226375.tif 000004
【図３】
2005226375.tif 000005
【図４】
2005226375.tif 000006
【図５】
2005226375.tif 000007
【図６】
2005226375.tif 000008
【図７】
2005226375.tif 000009